(57)【要約】【課題】      餌を無駄に撒かずに済む餌撒き器を提供する。【解決手段】  餌撒き器は、下端部に餌放出口１１ｂを有する筒形状の内ケース１０と、内ケース１０と同軸をなして内ケース１０を覆う筒形状の外ケース２０とを備えている。外ケース２０は内ケース１０に対して相対的に軸方向移動可能で、下方の閉じ位置では餌放出口１１ｂを閉じ、上方の開き位置では餌放出口１１ｂを開く。内ケース１０の下端には錘６０が固定されている。外ケース２０の上端には、糸の先端が繋がる連携部材が固定されている。外ケース２０は、圧縮コイルバネ７０の弾性力と磁着手段８０の磁力により閉じ位置方向に付勢されている。【選択図】  図１
2006217858.tif 000002
【特許請求の範囲】
【請求項１】
（ア）筒形状をなし、下端部に餌放出口を形成してなる内ケースと、
（イ）筒形状をなし、上記内ケースと同軸をなしてこの内ケースを覆うとともに、上記内ケースに対して相対的に軸方向移動可能で、下方の閉じ位置では上記内ケースの餌放出口を閉じ、上方の開き位置では餌放出口を開く外ケースと、
（ウ）上記内ケースの下端に固定された錘と、
（エ）上記外ケースの上端に固定され、糸の先端が繋がる連携部材と、
を備えた集魚用の餌撒き器において、
上記外ケースを内ケースに対して上記閉じ位置方向に付勢するバネを備えたことを特徴とする集魚用の餌撒き器。
【請求項２】
さらに上記内ケースおよび外ケースの中心軸線上に配置されるとともに内ケース，外ケースのいずれか一方に固定ないしは係止されたシャフトを備え、上記バネはこのシャフトに巻かれた圧縮コイルバネからなり、この圧縮コイルバネの一端がシャフトに固定されたバネ受けに係止され、他端が上記内ケース，外ケースの他方に係止されていることを特徴とする請求項１に記載の集魚用の餌撒き器。
【請求項３】
さらに、上記内ケースと上記外ケースを互いに引き付けることにより、上記外ケースを上記閉じ位置に保持する磁着手段を備えていることを特徴とする請求項１または２に記載の集魚用の餌撒き器。
【請求項４】
上記内ケースと上記外ケースは上端部に肩部を有し、一方のケースの肩部に磁石が設けられ、他方のケースの肩部にこの磁石と引き付け合う磁性体または磁石が設けられていることを特徴とする請求項３に記載の集魚用の餌撒き器。
【発明の詳細な説明】
【技術分野】
【０００１】
本発明は、集魚用の餌撒き器に関する。
【背景技術】
【０００２】
魚を釣る際に、コマセと称する餌を撒いて魚を集めることは良く知られている。特許文献１に記載された餌撒き器は、同軸をなす筒形状の内ケースと外ケースとを備えている。内ケースの下端には錘が固定されており、外ケースの上端には糸の先端に繋がる連携部材が固定されている。外ケースは内ケースに対して相対的に回動可能かつ上下方向（軸方向）移動可能になっている。
【０００３】
内ケースの下端部には餌放出口が形成されており、外ケースが下方の閉じ位置にある時にはこの餌放出口は閉じられ、外ケースが上方の開き位置にある時には餌放出口が開かれるようになっている。なお、外ケースはストッパ手段により上方へのストロークが制限されている。
【０００４】
上記餌撒き器の連携部材に竿から延びる糸の先端を繋いだ状態で、餌撒き器を海中に入れると、水の抵抗により内ケースが外ケースに入り込んだ状態すなわち外ケースの閉じ位置が維持される。餌撒き器が所望の水深に達したら、竿を引いて外ケースを上方に引き上げる。これにより、外ケースが上方に引かれて開き位置になり、内ケースに収容されていた餌が餌放出口から海中に放出される。竿を下げると、再び内ケースが外ケースに入り込み、餌放出口が閉じられる。この竿の上下運動を繰り返すことにより、餌を海中に撒く。
【特許文献１】実公平６−３７６６５号公報
【発明の開示】
【発明が解決しようとする課題】
【０００５】
上述した特許文献１の餌撒き器では、水の抵抗によって内ケースを外ケースに入り込ませ、これにより外ケースの閉じ位置を維持するため、安定して餌放出口を閉じることができず、所望の水深に達するまでに餌が無駄に放出される欠点があった。
【課題を解決するための手段】
【０００６】
本発明は上記課題を解決するためになされたもので、
（ア）筒形状をなし、下端部に餌放出口を形成してなる内ケースと、
（イ）筒形状をなし、上記内ケースと同軸をなしてこの内ケースを覆うとともに、上記内ケースに対して相対的に軸方向移動可能で、下方の閉じ位置では上記内ケースの餌放出口を閉じ、上方の開き位置では餌放出口を開く外ケースと、
（ウ）上記内ケースの下端に固定された錘と、
（エ）上記外ケースの上端に固定され、糸の先端が繋がる連携部材と、
を備えた集魚用の餌撒き器において、
上記外ケースを内ケースに対して上記閉じ位置方向に付勢するバネを備えたことを特徴とする。
【０００７】
上記構成によれば、バネの弾性力により、外ケースが常に閉じ位置に戻るように付勢されるので、内ケースに収容された餌が餌放出口から無駄に放出されるのを防ぐことができる。しかも、バネは外ケースが閉じ位置から離れるほど弾性力が強くなるので、確実に閉じ位置に戻ることができる。
【０００８】
好ましくは、さらに上記内ケースおよび外ケースの中心軸線上に配置されるとともに内ケース，外ケースのいずれか一方に固定ないしは係止されたシャフトを備え、上記バネはこのシャフトに巻かれた圧縮コイルバネからなり、この圧縮コイルバネの一端がシャフトに固定されたバネ受けに係止され、他端が上記内ケース，外ケースの他方に係止されている。
この構成によれば、圧縮コイルバネを安定して収容することができる。
【０００９】
好ましくは、さらに、上記内ケースと上記外ケースを互いに引き付けることにより、上記外ケースを上記閉じ位置に保持する磁着手段を備えている。
これによれば、バネの弾性力とともに磁着手段による磁力が加わるので、外ケースの閉じ位置はより一層確実に維持される。しかも、この磁力は外ケースが閉じ位置から離れると急速に減衰するので、外ケースを開き位置にした時には磁力の影響が小さくなり、餌放出のための十分な時間を確保することができる。
ちなみに、バネの弾性力だけで外ケースの閉じ位置を強固に維持しようとする場合、バネの弾性力を強くすれば良いが、そうすると、開き位置でのバネの弾性力が強くなり過ぎ、開き状態を十分な時間確保できないこともある。
【００１０】
好ましくは、上記内ケースと上記外ケースは上端部に肩部を有し、一方のケースの肩部に磁石が設けられ、他方のケースの肩部にこの磁石と引き付け合う磁性体または磁石が設けられている。
これによれば、磁石や磁性体の取り付け構造が簡易となる。
【発明の効果】
【００１１】
本発明の餌撒き器によれば、餌を無駄に放出せずに済む。
【発明を実施するための最良の形態】
【００１２】
以下、本発明の第１実施形態をなす餌撒き器について、図１〜図４を参照しながら説明する。図１に示すように、餌撒き器は、同軸をなす円筒形状の内ケース１０と外ケース２０を備えている。
【００１３】
上記内ケース１０は、円筒部１１と、この円筒部１１の下端に設けられた円盤形状の底部１２と、円筒部１１の上端に設けられた円錐部１３と、円錐部１３の上端に設けられた肩部１４とを有している。
【００１４】
上記内ケース１０の円筒部１１には、１つの餌充填口１１ａが形成されるとともに、その下端部には複数例えば２つの餌放出口１１ｂが形成されている。上記円錐部１３には水導入口１３ａが形成されている。
【００１５】
上記外ケース２０は、内ケース１０を覆うとともに、内ケース１０に対して相対的に回動可能かつ軸方向（上下方向）移動可能になっており、内ケース１０の円筒部１１の外周面に接する円筒部２１と、この円筒部２１の上端に設けられた円錐部２３と、この円錐部２３の上端に設けられた肩部２４と、この肩部２４の内周部から軸方向，下方に延びる補助円筒部２５と、肩部２４の内周部から軸方向，上方に延びる補助円筒部２６とを有している。
【００１６】
上記外ケース２０の円筒部２１には、上記内ケース１０の餌充填口１１ａとほぼ同形状の１つの餌充填口（図示しない）が形成されている。円筒部２１の下端２２は開口されている。外ケース２０の円錐部２３には水導入口２３ａが形成されている。
【００１７】
上記外ケース２０の上端部内周には、上記肩部２４および補助円筒部２５，２６にわたって雌ネジ部２７が形成されており、この雌ネジ部２７には、円筒形状の支持部材３０が螺合されている。
【００１８】
上記支持部材３０には、上記ケース１０，２０と同軸をなすシャフト４０の上端部が貫通している。
上記シャフト４０には上端から所定距離離れてスナップリング４１が取り付けられており、このスナップリング４１が支持部材３０の下端面に係止されている。シャフト４０の上端部には連携部材３５が螺合されており、この連携部材３５の下端が支持部材３０の上端面に当たっている。その結果、シャフト４０および連携部材３５は、支持部材３０を介して上記外ケース２０の上端部に固定されている。
【００１９】
上記連携部材３５の上端には穴３５ａが形成されており、竿から垂れ下がる糸Ａ（図３にのみ示す）の先端がこの穴３５ａを通って連携部材３５に結ばれるようになっている。
【００２０】
図３に最も良く示されているように、上記外ケース２０の上端部にはカバー５０が被せられている。このカバー５０は、上記外ケース２０の円錐部２３に接する円錐部５３と、この円錐部５３の上端から径方向，内方向に延びる環状のバネ受部５４と、この円錐部５３の上端から軸方向、上方に延びる円筒部５６とを有している。
【００２１】
上記カバー５０の円錐部５３には外ケース２０の円錐部２３の水導入口２３ａと同形状，同数の水導入口５３ａが形成されている。カバー５０は外ケース２０に対して回動可能であり、これにより、水導入口２３ａ，５３ａの重なりにより形成される開口の面積を調節可能である。
【００２２】
上記カバー５０のバネ受部５４と上記支持部材３０に螺合されたナット５８との間には圧縮コイルバネ５９が設けられており、この圧縮コイルバネ５９により、カバー５０の円錐部５３が外ケース２０の円錐部２３に当たり、上記水導入口２３ａ，５３ａの調節された開口面積を維持できるようになっている。
【００２３】
図１に示すように、上記内ケース１０の底部１２には錘６０が固定されている。この錘６０は上面に開口する穴６１を有している。この穴６１には上記シャフト４０の下端部が挿入されるとともに、圧縮コイルバネ７０が収容されている。この圧縮コイルバネ７０は、シャフト４０に巻かれ、シャフト４０の下端に固定されたバネ受け４５と、内ケース１０の底部１２との間に介在されている。
【００２４】
上記圧縮コイルバネ７０の弾性力により、シャフト４０は内ケース１０に対して常に下方に付勢され、ひいては外ケース２０が内ケース１０に対して下方に付勢されている。したがって、通常は、図１に示すように外ケース２０の下端２２が内ケース１０の底部１２の外周縁に当たっており、外ケース２０の下端部が内ケース１０の餌放出口１１ｂを閉じている。以下、この外ケース２０の相対的下方位置を閉じ位置と称す。
【００２５】
なお、上記圧縮コイルバネ７０の弾性力は、支持部材３０の外ケース２０へのねじ込み量を変えることにより調節することができる。
【００２６】
図３に最も良く示すように、上記内ケース１０の肩部１４と外ケースの肩部２４との間には、磁着手段８０が設けられている。本実施形態では、この磁着手段８０は、内ケース１０の肩部１４の上面に固定された環状の磁石８１と、外ケース２０の肩部２４の下面に固定された環状の鋼鈑８２（磁性体）とからなる。上記外ケース２０の閉じ位置において、鋼鈑８２は磁石８１に磁着している。
【００２７】
上記外ケース１０は、上記圧縮コイルバネ７０の弾性力のみならず、上記磁着手段８０の磁力によっても上記閉じ位置を維持されるようになっている。
【００２８】
外ケース２０は内ケース１０に対して上記閉じ位置から上方へ相対移動が可能である。この上方への移動ストロークは、外ケース２０の補助円筒部２５の下端に取り付けたゴム製のストッパ８５が内ケース１０の肩部１４に当たることによって、制限されている。外ケース２０が上方へ移動すると、図２に示すように、外ケース２０の下端２２が内ケース１０の底部１２から離れ、内ケース１０の餌放出口１１ｂが開かれる。この外ケース２０の相対的上方位置を開き位置と称す。
【００２９】
上記構成の餌撒き器の作用について説明する。まず、内ケース１０の餌充填口１１ａと外ケース２０の餌充填口とを合致させた状態で、これら餌充填口１１ａから餌を内ケース１０に詰め込む。次に、外ケース２０を内ケース１０に対して例えば１８０°回すことにより、外ケース２０の餌充填口を内ケース１０の餌充填口１１ａからずらし、この餌充填口１１ａを外ケース２０で塞ぐ。この閉塞位置は、外ケース２０の円筒部２１の下端部内周に形成された凸部２１ｘが、内ケース１０の円筒部１１の下端部外周に形成された軸方向に延びる溝１１ｘにスナップフィットすることにより保持される。
【００３０】
次に、餌撒き器を糸Ａに付けた状態で水中に落とす。図１に示す外ケース２０の閉じ位置は、圧縮コイルバネ７０の弾性力と磁着手段８０の磁力により、確実に維持され、収容した餌が無駄に撒かれることはない。
【００３１】
所望水深に達したら竿を強く引く。すると図２に示すように、外ケース２０が上記圧縮コイルバネ７０と磁着手段８０の力に抗して上方に移動し、これにより開き位置に達するので、内ケース１０に収容された餌が餌放出口１１ｂから水中に散布される。この際、水導入口５３ａ，２３ａ，１３ａを通って内ケース１０の上端部に水が導入されるので、餌の散布が促進される。
【００３２】
竿を下ろすと、外ケース２０を上方へ移動させる力が無くなるので、外ケース２０は圧縮コイルバネ７０の弾性力によって元の閉じ位置に戻り、上記餌の散布が終了する。
【００３３】
次に、上記外ケース２０を閉じ位置に向かって引き付ける力について詳述する。この引き付け力は、圧縮コイルバネ７０の弾性力と磁着手段８０の磁力を加算したものである。図４に示すように、圧縮コイルバネ７０の弾性力は、外ケース２０の閉じ位置から開き位置への移動に伴ってリニアに増大する。これに対して磁着手段８０の磁力は、外ケース２０が閉じ位置から開き位置に向かって移動すると、すなわち磁石８１と鋼鈑８２が離れると急激に減衰する。
【００３４】
その結果、外ケース２０に対する引き付け力は、図４の実線で示すように、閉じ位置で最大であり、閉じ位置を強固に維持できる。また、糸Ａを強く引いて外ケース２０を閉じ位置から離すと、上記引き付け力は急激に減少するので、外ケース２０の開き時間を十分に確保でき、十分な量の餌を放出することができる。しかも、上記引き付け力は、外ケース２０が開き位置になっても、閉じ位置に戻すことができる程度の大きさを維持しており、外ケース２０を確実に閉じ位置に戻すことができる。
【００３５】
上述したように、外ケース２０を開き位置から閉じ位置へ確実に戻すために、圧縮コイルバネ７０の弾性力は必要である。
磁着手段８０の磁力は、外ケース２０の開き位置における戻り力を過剰に高めることなく、閉じ位置を確実に維持するために役立つ。磁着手段８０を用いずに、圧縮コイルバネ７０の力だけで外ケースの閉じ位置を強固に維持しようとすると、圧縮コイルバネ７０の弾性力を強くすることになるが、この場合、外ケース２０が開き位置にある時、強い戻り力が働き、餌の放出時間が短くなる。
【００３６】
次に、本発明の第２実施形態について図５を参照しながら説明する。この実施形態において第１実施形態に対応する構成部には同番号を付してその詳細な説明を省略する。この実施形態では、圧縮コイルバネ７０が餌撒き器の上端部において筒形状の支持部材３０に収容されている。シャフト４０は第１実施形態より短く、支持部材３０に対して相対的に軸方向移動可能となっている。
【００３７】
上記シャフトの下端に取り付けたスナップリング４２が、内ケース１０の肩部１４の下面に係止されている。
シャフト４０の上端にはバネ受け４５が固定されており、シャフト４０に巻かれた圧縮コイルバネ７０は、このバネ受け４５と、支持部材３０の下端に設けられた鍔からなるバネ受け３９との間に介在されている。
連携部材３５は支持部材３０に直接固定されている。
【００３８】
内ケース１０の底部１２には、回り止め部材９０が固定されている。この回り止め部材９０の両端部は内ケース１０の円筒部１１に形成された係合穴１１ｙを通り、外ケース２０の円筒部１１の下端部に形成された軸方向に延びるスリット２１ｙを通っている。この実施形態では、外ケース２０は内ケース１０に対して回動せず、外ケース２０の餌充填口（図示しない）は内ケース１０の餌充填口１１ａに対向しており、扉で開閉されるようになっている。
【００３９】
第２実施形態の他の作用は、第１実施形態と同様であるから、その詳細な説明は省略する。
【００４０】
本発明は上記実施形態に制約されず、種々の態様を採用可能である。例えば磁着手段において、磁性体の代わりに磁石を用いてもよい。磁石および磁性体は環状に形成する代わりに、周方向に間隔をおいて複数個配置してもよい。磁着手段は、ケースの下端部に配置してもよい。
錘が内ケースの底部を兼用してもよい。連携部材は外ケースと一体であってもよい。内ケースの餌充填口と餌放出口の１つが連なっていてもよい。
外ケースに多数の細かい穴を形成してもよい。
【図面の簡単な説明】
【００４１】
【図１】本発明の第１実施形態に係わる餌撒き器を閉じ状態で示す縦断面図である。
【図２】同餌撒き器を開き状態で示す縦断面図である。
【図３】同餌撒き器の上部の拡大縦断面図である。
【図４】同餌撒き器において、外ケースの閉じ位置への引き付け力を表す図である。
【図５】本発明の第２実施形態に係わる餌撒き器の縦断面図である。
【符号の説明】
【００４２】
１０  内ケース
１１ｂ  餌放出口
１４  肩部
２０  外ケース
２４  肩部
３５  連携部材
４０  シャフト
６０  錘
７０  圧縮コイルバネ（バネ）
８０  磁着手段
８１  磁石
８２  鋼鈑（磁性体）
【図１】
2006217858.tif 000003
【図２】
2006217858.tif 000004
【図３】
2006217858.tif 000005
【図４】
2006217858.tif 000006
【図５】
2006217858.tif 000007